(57)【要約】【課題】製造が簡略であり、廃棄する際においても環境負荷物質を生成することがなく、また、リサイクルも容易な長尺スイッチを提供する。【解決手段】導電体の糸材３と、天然繊維からなる絶縁体の糸材４とが長さ方向、周方向各々に交互に配置される組紐状の織り上げ構造からなり、前記導電体の糸材３を第１電極、第２電極に分割した長尺のスイッチ本体２と、天然繊維からなる絶縁体の糸材１２の組紐状の織り上げ構造からなりスイッチ本体２の外周を覆うように形成した外被１１とを有するものである。【選択図】図１
2008004457.tif 000002
【特許請求の範囲】
【請求項１】
導電体の糸材と、絶縁体の糸材とが長さ方向、周方向各々に交互に配置される組紐状の織り上げ構造からなり、前記導電体の糸材を第１電極、第２電極に分割した長尺のスイッチ本体を有することを特徴とする長尺スイッチ。
【請求項２】
導電体の糸材と、天然繊維からなる絶縁体の糸材とが長さ方向、周方向各々に交互に配置される組紐状の織り上げ構造からなり、前記導電体の糸材を第１電極、第２電極に分割した長尺のスイッチ本体を有することを特徴とする長尺スイッチ。
【請求項３】
導電体の糸材と、合成繊維からなる絶縁体の糸材とが長さ方向、周方向各々に交互に配置される組紐状の織り上げ構造からなり、前記導電体の糸材を第１電極、第２電極に分割した長尺のスイッチ本体を有することを特徴とする長尺スイッチ。
【請求項４】
導電体の糸材と、絶縁体の糸材とが長さ方向、周方向各々に交互に配置される組紐状の織り上げ構造からなり、前記導電体の糸材を第１電極、第２電極に分割した長尺のスイッチ本体と、
絶縁体の糸材の組紐状の織り上げ構造からなり前記スイッチ本体の外周を覆うように形成した外被と、
を有することを特徴とする長尺スイッチ。
【請求項５】
導電体の糸材と、天然繊維からなる絶縁体の糸材とが長さ方向、周方向各々に交互に配置される組紐状の織り上げ構造からなり、前記導電体の糸材を第１電極、第２電極に分割した長尺のスイッチ本体と、
天然繊維からなる絶縁体の糸材の組紐状の織り上げ構造からなり前記スイッチ本体の外周を覆うように形成した外被と、
を有することを特徴とする長尺スイッチ。
【請求項６】
導電体の糸材と、合成繊維からなる絶縁体の糸材とが長さ方向、周方向各々に交互に配置される組紐状の織り上げ構造からなり、前記導電体の糸材を第１電極、第２電極に分割した長尺のスイッチ本体と、
合成繊維からなる絶縁体の糸材の組紐状の織り上げ構造からなり前記スイッチ本体の外周を覆うように形成した外被と、
を有することを特徴とする長尺スイッチ。
【請求項７】
前記スイッチ本体における導電体の糸材の径を、絶縁体の糸材の径よりも太くしたことを特徴とする請求項１乃至６のいずれかに記載の長尺スイッチ。
【請求項８】
導電体の糸材と、絶縁体の糸材とが長さ方向、周方向各々に交互に配置される組紐状の織り上げ構造からなり、前記導電体の糸材を第１電極、第２電極に分割した長尺のスイッチ本体と、
合成樹脂絶縁材からなり前記スイッチ本体の外周を覆うように形成した外被と、
を有することを特徴とする長尺スイッチ。
【請求項９】
導電体の糸材と、天然繊維からなる絶縁体の糸材とが長さ方向、周方向各々に交互に配置される組紐状の織り上げ構造からなり、前記導電体の糸材を第１電極、第２電極に分割した長尺のスイッチ本体と、
高分子化合物の合成樹脂絶縁材からなり前記スイッチ本体の外周を覆うように形成した外被と、
を有することを特徴とする長尺スイッチ。
【請求項１０】
前記スイッチ本体における導電体の糸材の径を、絶縁体の糸材の径よりも太くしたことを特徴とする請求項８又は９のいずれかに記載の長尺スイッチ。
【発明の詳細な説明】
【技術分野】
【０００１】
本発明は、長尺スイッチに関し、詳しくは組紐状の構造を有する斬新な長尺スイッチに関するものである。
【背景技術】
【０００２】
従来、例えば電車車両の扉スイッチ等として使用される長尺スイッチとして、種々の構造のものが提案されている。
【０００３】
例えば、図１０に示すように、長尺の絶縁材３１を挟むようにして長尺の金属電極板３２、３３を対向配置に接合し、これらの外周を長尺の絶縁材からなる外被３４で被覆した構造のもの、図１１に示すように、長尺の導電ゴム４１の両側に一対の長尺の導電体４２、４３を対向配置に接合し、これらを長尺の絶縁材からなる外被４４で被覆した構造のものが知られている。
【０００４】
更に、図１２に示すように、導電性を有する糸と、絶縁性を有する糸とを用いて導体部５１と絶縁部５２とが長さ方向に沿って交互に存在するように平織りして２枚の長尺の布５０、５０を織り上げ、これら布５０、５０を重ね合わせてその長さ方向両縁部を縫合部５４にて縫合するとともに、２枚の布５０、５０の間に間隔保持用の保持繊維５３を長さ方向に沿って縫い込んだ構造の平織りスイッチも知られている。
【０００５】
上述した図１０に示す長尺の絶縁材３１を挟むようにして長尺の金属電極板３２、３３を対向配置に構成したものや、図１１に示す長尺の導電ゴム４１の両側に一対の長尺の導電体４２、４３を対向配置した構成のもの、更には図１２に示す平織りスイッチの構成では、これらを廃棄する際に導体部分と絶縁体部分との分離が煩雑である。更に、図１２に示す平織りスイッチの構成では、２枚の布５０、５０の織り上げ、縫合、保持繊維５３の縫い込みというように製造工程が複雑化するという問題が有る。
【０００６】
特許文献１には、長尺の一対の金属電極板を対向配置し、これら金属電極板の長さ方向の両縁部間に長さ方向に沿って長尺の絶縁材を介在させ、これらを絶縁材からなる外被で被覆した構成の長尺スイッチが提案されている。
【０００７】
しかし、この特許文献１の長尺スイッチの場合にも、廃棄時に多くの手間、費用を要するという問題を包含している。
【特許文献１】特開２００１−０７６５８０号公報
【発明の開示】
【発明が解決しようとする課題】
【０００８】
解決しようとする問題点は、製造が簡略であり、廃棄する際においても環境負荷物質を生成することがなく、また、リサイクルも容易に実現できるという長尺スイッチが存在しない点である。
【課題を解決するための手段】
【０００９】
本発明の長尺スイッチは、導電体の糸材と、絶縁体の糸材とが長さ方向、周方向各々に交互に配置される組紐状の織り上げ構造からなり、前記導電体の糸材を第１電極、第２電極に分割した長尺のスイッチ本体を有することを最も主要な特徴とする。
【発明の効果】
【００１０】
本発明によれば、以下の効果を奏する。
請求項１記載の発明によれば、導電体の糸材と、絶縁体の糸材とが長さ方向、周方向各々に交互に配置される組紐状の織り上げ構造からなり、導電体の糸材を第１電極、第２電極に分割した構成からなるものであるから、公知の製紐機を用いて簡略に製造できる長尺スイッチを提供することができる。
【００１１】
請求項２記載の発明によれば、請求項１記載の発明の効果に加えて、絶縁体の糸材として天然繊維を使用していることから、絶縁体の糸材の焼却により容易に導電体の糸材を取り出すことができリサイクルが容易であるとともに焼却時に有害物質が生じることも無く、環境汚染を回避できる長尺スイッチを提供することができる。
【００１２】
請求項３記載の発明によれば、請求項１記載の発明の効果に加えて、絶縁体の糸材として合成繊維を使用していることから、溶剤の使用により容易に導電体の糸材を取り出すことができリサイクルが容易な長尺スイッチを提供することができる。
【００１３】
請求項４記載の発明によれば、導電体の糸材と、絶縁体の糸材とが長さ方向、周方向各々に交互に配置される組紐状の織り上げ構造からなり、導電体の糸材を第１電極、第２電極に分割した構成からなるスイッチ本体と、このスイッチ本体の外周を覆う絶縁体の糸材を組紐状に編み上げた外被とからなるものであるから、公知の製紐機を用いて簡略に製造できる長尺スイッチを提供することができる。
【００１４】
請求項５記載の発明によれば、請求項４記載の発明の効果に加え、スイッチ本体及び外被の絶縁体の糸材として天然繊維を使用していることから、絶縁体の糸材の焼却により容易に導電体の糸材を取り出すことができリサイクルが容易であるとともに焼却時に有害物質が生じることも無く、環境汚染を回避できる長尺スイッチを提供することができる。また水分の無い使用環境に十分対応できる長尺スイッチを提供することができる。
【００１５】
請求項６記載の発明によれば、請求項４記載の発明の効果に加え、スイッチ本体及び外被の絶縁体の糸材として合成繊維を使用していることから、外被の絶縁体の糸材を密構造とすることで、水分の有る使用環境にも対応できる長尺スイッチを提供することができる。
【００１６】
請求項７記載の発明によれば、請求項１乃至６のいずれかに記載の発明におけるスイッチ本体の導電体の糸材の径を、絶縁体の糸材の径よりも太くしているので、請求項１乃至６記載の各発明において、各々第１電極の導電体の糸材、第２電極の導電体の糸材間のオン動作をし易くし、スイッチ感度を高めることができる。
【００１７】
請求項８、９記載の発明によれば、導電体の糸材と、絶縁体の糸材とが長さ方向、周方向各々に交互に配置される組紐状の織り上げ構造からなり、前記導電体の糸材を第１電極、第２電極に分割した長尺のスイッチ本体と、合成樹脂絶縁材、すなわち高分子化合物（例えばＰＶＣ系、オレフィン系等の柔軟性あるもの）の合成樹脂絶縁材からなり前記スイッチ本体の外周を覆うように形成した外被と、を有する構成としたので、スイッチ本体を公知の製紐機を用いて簡略に製造し、更に、このスイッチ本体を合成樹脂の押出成形機に入れて押し出し成形を行うことで簡略に長尺スイッチを製造することができる。
【００１８】
請求項１０記載の発明によれば、請求項８又は９に記載の発明におけるスイッチ本体の導電体の糸材の径を、絶縁体の糸材の径よりも太くしているので、請求項８又は９記載の各発明において、各々第１電極の導電体の糸材、第２電極の導電体の糸材間のオン動作をし易くし、スイッチ感度を高めることができる。することができる。
【発明を実施するための最良の形態】
【００１９】
本発明は、製造が簡略であり、廃棄する際においても環境負荷物質を生成することがなく、またリサイクルも容易な長尺スイッチを提供するという発明の目的を、導電体の糸材と、天然繊維からなる絶縁体の糸材とが長さ方向、周方向各々に交互に配置される組紐状の織り上げ構造からなり、前記導電体の糸材を第１電極、第２電極に分割した長尺のスイッチ本体と、天然繊維からなる絶縁体の糸材の組紐状の織り上げ構造からなり前記スイッチ本体の外周を覆うように形成した外被と、を有する構成により実現した。
【実施例】
【００２０】
以下に、本発明の実施例を詳細に説明する。
（実施例１）
図１、図２に示す本発明の実施例１に係る長尺スイッチ１は、長尺のスイッチ本体２と、このスイッチ本体２の外周を覆うように形成した外被１１とを有し、スイッチ本体２に接続した一対の導線２１、２２をスイッチ信号処理部２０に接続して、前記スイッチ本体２のオン、オフ動作に伴い直流回路用のスイッチ信号処理部２０により例えば図示しない警報部（ブザー等）を動作又は不動作させるように構成している。
【００２１】
前記スイッチ本体２は、図２、図３、更には図４に展開状態で示すように、例えば銅線のような導電体の２本の並列配置の第１電極、第２電極を構成する糸材３ａ、３ｂからなる糸材３と、木綿糸、麻糸等のような天然繊維からなる絶縁体の糸材４とが長さ方向、周方向各々に交互に配置される組紐状で、かつ、円筒状の織り上げ構造を有している。このスイッチ本体２は、公知の製紐機を使用して導電体の糸材３と、絶縁体の糸材４とを組紐状に織り上げることで形成している。
【００２２】
なお、図２、図３、図４においては、２本の並列配置の糸材３ａ、３ｂからなる糸材３の部分を、導電体系を示す黒塗りで表し、絶縁体の糸材４の部分を、絶縁体系を示す紙面の色（白色）で表している。
【００２３】
また、スイッチ本体２は、２本の並列配置の糸材３ａ、３ｂからなる導電体系である糸材３の領域全体を、図３及び図４に示すように、相互に接触しないような第１電極であるプラス（＋）電極系と第２電極系であるマイナス（−）電極系とに分割した構成としている。
【００２４】
すなわち、図１に示すように、外被１１の外側から外部負荷３０が作用するとき、スイッチ本体２におけるプラス（＋）電極系とマイナス（−）電極系との変形による接触によってオン状態となり、外部負荷３０が作用しないときにはプラス（＋）電極系とマイナス（−）電極系とが接触しない状態、すなわち、オフ状態となるように構成している。
【００２５】
また、前記スイッチ本体２の一部（例えば端部）からプラス（＋）電極系、マイナス（−）電極系を構成する２本の並列配置の糸材３ａ、３ｂを導出させ、これらに電極端子５を取り付けて、前記一対の導線２１、２２を各々接続するように構成している。
【００２６】
図１、図２及び図５に示す外被１１は、例えば木綿糸、麻糸等の絶縁性を有する所要本数の天然繊維の糸材１２（又は絶縁性を有する合成繊維の糸材）を公知の製紐機を使用して組紐状に織り上げることで形成している。この場合、製紐機においてまず前記スイッチ本体２を織り上げた後、このスイッチ本体２を芯としてその外周を覆うように天然繊維の糸材１２（又は合成繊維の糸材）を使用して組紐状で、かつ、円筒状に織り上げて外被１１とするものである。
【００２７】
上述した構成の本実施例１に係る長尺スイッチ１によれば、導電体の糸材３と、天然繊維からなる絶縁体の糸材４とが長さ方向、周方向各々に交互に配置される組紐状の織り上げ構造からなり、前記導電体の糸材３をプラス電極、マイナス電極に分割した構成のスイッチ本体２と、このスイッチ本体２の外周を覆う天然繊維からなる絶縁体の糸材１２の組紐状の織り上げ構造からなる外被１１とからなるものであるから、公知の製紐機を用いて少ない工程で簡略にこの長尺スイッチ１を製造することができる。
【００２８】
更に、天然繊維からなる絶縁体の糸材１２を使用して外被１１を形成した場合においても、長尺スイッチ１の使用環境が水気の無い場所であれば外被１１内のスイッチ本体２が水分の浸入により短絡する等の支障を生じさせるという不都合はない。
【００２９】
また、この長尺スイッチ１を廃棄する際においても、天然繊維からなる絶縁体の糸材４及び糸材１２を焼却するだけで容易に導電体の糸材３を取り出すことができ、焼却時にゴム材焼却時のような有害物質が生成することがなく、これにより環境汚染の回避とリサイクルの容易化を図ることができる。
【００３０】
更に、合成繊維からなる絶縁体の糸材４及び糸材１２を使用した構成の長尺スイッチ１の場合においては、合成繊維からなる絶縁体の糸材４及び糸材１２を溶剤を用いてこれらを溶かすようにすれば、容易に導電体の糸材３を取り出すことができ、リサイクルの容易化を図ることができる。
【００３１】
また、合成繊維からなる絶縁体の前記糸材１２を使用して外被１１を形成した場合には、糸材１２を密構造とすることで外被１１内のスイッチ本体２への水分の浸入を防止でき、これにより、長尺スイッチ１の使用環境が水気の有る場所の場合においてもこの長尺スイッチ１を何等支障なく使用することが可能となる。
【００３２】
次に、図６を参照して、本実施例１におけるスイッチ本体２の変形例について説明する。
【００３３】
図６は変形例のスイッチ本体２Ａの断面構造を示すものであり、このスイッチ本体２Ａは、既述したスイッチ本体２と同様、公知の製紐機を使用して組紐状に織り上げるものである。
すなわち、第１電極、第２電極を構成する銅線のような導電体の糸材３ｃと、天然繊維又は合成繊維からなる絶縁体の糸材３ｄと使用し、組紐状（導電体糸数２、１６打ち）に織り上げることで形成している。
【００３４】
このスイッチ本体２Ａにおいては、導電体の糸材３ｃの径を、絶縁体の糸材３ｄの径よりも太くし、これにより、外部負荷３０が作用するとき、導電体の糸材３ｃ間の接触によるオン動作をし易くし、スイッチ感度を高めている。
【００３５】
図６に示すスイッチ本体２Ａと、既述した外被１１とを組み合わせることにより、既述した実施例１の長尺スイッチ１の場合と同様な作用、効果を発揮し、かつ、感度の良い長尺スイッチを提供することができる。
【００３６】
図７は、別の変形例のスイッチ本体２Ｂの断面構造を示すものであり、このスイッチ本体２Ｂは、図６に示すスイッチ本体２Ａの構成において、絶縁体の糸材３ｄの内、特定の導電体の糸材３ｃの近傍に位置するもの（図７においてクロス斜線を付して示す）を例えば赤色の色付きとしたものである。
【００３７】
このスイッチ本体２Ｂを用いた場合には、特定の導電体の糸材３ｃの近傍に位置する絶縁体の糸材３ｄを色付きとしているので、導電体の糸材３ｃ、すなわち、電極の位置を分かり易くすることができる。
【００３８】
また、図７に示すスイッチ本体２Ｂと、既述した外被１１とを組み合わせることにより、既述した実施例１の長尺スイッチ１の場合と同様な作用、効果を発揮し、かつ、感度の良い長尺スイッチを提供することができる。
【００３９】
（実施例２）
次に、図８を参照して本発明の実施例２について説明する。
図８に示す実施例２の長尺スイッチ１Ａは、実施例１の長尺スイッチ１が直流回路用の構成であるのと異なり、交流回路用として構成した点が特徴である。
【００４０】
実施例２に係る長尺スイッチ１Ａは、実施例１の長尺スイッチ１の場合と同様な長尺のスイッチ本体２と、このスイッチ本体２の外周を覆うように形成した外被１１とを有し、スイッチ本体２に接続した一対の導線２１、２２を交流回路用のスイッチ信号処理部２０Ａに接続して、前記スイッチ本体２のオン、オフ動作に伴いスイッチ信号処理部２０Ａにより例えば図示しない警報部（ブザー等）を動作又は不動作させるように構成している。
【００４１】
すなわち、図８に示すように、外被１１の外側から外部負荷３０が作用するとき、スイッチ本体２における第１電極と第２電極との変形による接触によってオン状態となり、外部負荷３０が作用しないときにはスイッチ本体２における第１電極と第２電極とが接触しない状態、すなわち、オフ状態となるように構成している。
【００４２】
また、前記スイッチ本体２の一部（例えば端部）から第１電極、第２電極を構成する２本の並列配置の糸材３ａ、３ｂを導出させ、これらに電極端子５を取り付けて、前記一対の導線２１、２２を各々接続するように構成している。
【００４３】
実施例２の長尺スイッチ１Ａによれば、交流の電気回路のスイッチとして適用し、実施例１の長尺スイッチ１の場合と同様な作用効果を発揮させることができる。
【００４４】
また、実施例２に係る長尺スイッチ１Ａにおいても、上述した図６、図７に示す変形例のスイッチ本体２Ａ、スイッチ本体２Ｂを採用することで、各々上述した場合と同様な作用効果を発揮させることができる。
【００４５】
（実施例３）
次に、図９を参照して本発明の実施例３について説明する。
図９に示す実施例３の長尺スイッチ１Ｂは、図６に示す変形例のスイッチ本体２Ａと同様な第１電極、第２電極を構成する銅線のような導電体の糸材３ｅと、天然繊維又は合成繊維からなる絶縁体の糸材３ｆと使用し、組紐状（導電体糸数２、１６打ち）に織り上げることで形成したスイッチ本体２Ｃと、このスイッチ本体２Ｃの外周を覆う合成樹脂絶縁材、すなわち高分子化合物（例えばＰＶＣ（ポリ塩化ビニル）系、オレフィン系等の柔軟性あるもの）からなる外被１１Ａとを有している。
【００４６】
実施例３の長尺スイッチ１Ｂは、スイッチ本体２Ｃを公知の製紐機を用いて簡略に製造し、更に、このスイッチ本体２Ｃを合成樹脂の押出成形機に入れて押し出し成形を行うことで、スイッチ本体２Ｃと合成樹脂絶縁材からなる外被１１Ａとの組み合わせとして簡略に製造することができる。
【００４７】
また、実施例３の長尺スイッチ１Ｂは、外被１１Ａとして合成樹脂絶縁材を用いているので、スイッチ本体２Ｃへの水分の浸入を防止でき、これにより長尺スイッチ１Ｂの使用環境が水気の有る場所の場合においてもこの長尺スイッチ１Ｂを何等支障なく使用することが可能となる。
【００４８】
更に、前記スイッチ本体２Ｃとして、図６に示すスイッチ本体２Ａと同様に導電体の糸材３ｅの径を、絶縁体の糸材３ｆの径よりも太くする構成とすれば、オン動作をし易くし、スイッチ感度が高い長尺スイッチ１Ｂとすることができる。また、図７に示すスイッチ本体２Ｂと同様に、特定の導電体の糸材３ｅの近傍に位置する絶縁体の糸材３ｆを色付きとすることで、導電体の糸材３ｅ、すなわち、電極の位置を分かり易くすることができる。
【産業上の利用可能性】
【００４９】
本発明は、電車車両の扉における異物検出スイッチ、建造物の出入扉における異物検出スイッチ等として幅広く適用可能である。
【図面の簡単な説明】
【００５０】
【図１】本発明の実施例１に係る長尺スイッチの全体構成を示す斜視図である。
【図２】本発明の実施例１に係る長尺スイッチの一部を切欠した状態を示す斜視図である。
【図３】本発明の実施例１に係る長尺スイッチのスイッチ本体を示す斜視図である。
【図４】本発明の実施例１に係る長尺スイッチのスイッチ本体における一部の展開状態を示す平面図である。
【図５】本発明の実施例１に係る長尺スイッチの外被を示す斜視図である。
【図６】本発明の実施例１に係る長尺スイッチにおけるスイッチ本体の変形例を示す概略断面図である。
【図７】本発明の実施例１に係る長尺スイッチにおけるスイッチ本体の別の変形例を示す概略断面図である。
【図８】本発明の実施例２に係る長尺スイッチの概略断面図である。
【図９】本発明の実施例３に係る長尺スイッチの概略断面図である。
【図１０】従来の長尺スイッチの一例を示す断面図である。
【図１１】従来の長尺スイッチの他例を示す断面図である。
【図１２】従来の平織り構造の長尺スイッチを示す概略斜視図である。
【符号の説明】
【００５１】
１    長尺スイッチ
１Ａ  長尺スイッチ
１Ｂ  長尺スイッチ
２    スイッチ本体
２Ａ  スイッチ本体
２Ｂ  スイッチ本体
２Ｃ  スイッチ本体
３    糸材
３ａ、３ｂ    糸材
３ｃ  糸材
３ｄ  糸材
３ｅ  糸材
３ｆ  糸材
４    糸材
５    電極端子
１１    外被
１１Ａ  外被
１２    糸材
２０    スイッチ信号処理部
２０Ａ  スイッチ信号処理部
２１、２２    導線
３０    外部負荷
【図１】
2008004457.tif 000003
【図２】
2008004457.tif 000004
【図３】
2008004457.tif 000005
【図４】
2008004457.tif 000006
【図５】
2008004457.tif 000007
【図６】
2008004457.tif 000008
【図７】
2008004457.tif 000009
【図８】
2008004457.tif 000010
【図９】
2008004457.tif 000011
【図１０】
2008004457.tif 000012
【図１１】
2008004457.tif 000013
【図１２】
2008004457.tif 000014